【手続補正書】
【提出日】平成30年5月1日(2018.5.1)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
ユーザ機器（ＵＥ）において、免許不要無線周波数スペクトル帯域を通じて時分割複信（ＴＤＤ）構成の指示を受信することと、ここにおいて、前記ＴＤＤ構成の前記指示が、連続数のダウンリンクサブフレームの指示、連続数のアップリンクサブフレームの指示、または免許不要無線周波数スペクトル帯域に関連付けられる許可のうちの少なくとも１つを備える、
前記ＴＤＤ構成に従ってアップリンク期間の初めに前記免許不要無線周波数スペクトル帯域に対してクリアチャネルアセスメント（ＣＣＡ）を行うことと、
前記ＣＣＡが成功したときに前記免許不要無線周波数スペクトル帯域を通じてプリアンブルを送信することと、前記プリアンブルが、前記ＴＤＤ構成に従ったアップリンクサブフレームの開始を示す、
前記ＣＣＡが成功したときに前記ＴＤＤ構成に従って前記免許不要無線周波数スペクトル帯域を通じて前記ＵＥからアップリンクデータを送信することと
を備える方法。
【請求項２】
前記ＴＤＤ構成は、複数の半静的ＴＤＤ構成から選択された半静的ＴＤＤ構成を備え、
前記ＴＤＤ構成の前記指示は、前記半静的ＴＤＤ構成に関連付けられるインデックスを備える、
または、前記ＴＤＤ構成の前記指示は、フレームの第１のダウンリンクサブフレームにおいて前記免許不要無線周波数スペクトル帯域を通じて受信される、請求項１に記載の方法。
【請求項３】
フレーム中に第１のＴＤＤ構成から第２のＴＤＤ構成に遷移すること
をさらに備え、
前記ＴＤＤ構成の前記指示は、前記フレームに関する前記第１のＴＤＤ構成と前記第２のＴＤＤ構成の両方を示す、
または、前記方法は、前記ＵＥの送信タイミングを、前記免許不要無線周波数スペクトル帯域上で動作するように構成されたｅｖｏｌｖｅｄ  Ｎｏｄｅ  Ｂ（ｅＮＢ）のタイミングと周期的に同期させること
をさらに備える、請求項１に記載の方法。
【請求項４】
前記ＵＥは、第１のＵＥを備え、
前記ＣＣＡは拡張ＣＣＡ（ＥＣＣＡ）を備え、前記方法は、
前記第１のＵＥのための第１の擬似乱数生成器と第２のＵＥのための第２の擬似乱数生成器とを、前記アップリンク期間の前記初めに、前記第１のＵＥによって行われる前記ＥＣＣＡが前記第２のＵＥによって行われるＥＣＣＡと同期されるように、整合させることをさらに備える、請求項１に記載の方法。
【請求項５】
前記許可に少なくとも部分的に基づいて、前記免許不要無線周波数スペクトル帯域を通じた通信のためのフレームにおけるいくつかのアップリンクサブフレームのタイミングを動的に決定すること
をさらに備え、
前記ＣＣＡを行うことは、前記いくつかのアップリンクサブフレームを含むアップリンク期間の初めに前記免許不要無線周波数スペクトル帯域に対してＣＣＡを行うことを備え、
アップリンクデータを送信することは、前記ＣＣＡが成功したときに前記いくつかのアップリンクサブフレームのうちの少なくとも１つに従って前記免許不要無線周波数スペクトル帯域を通じて前記ＵＥからアップリンクデータを送信することを備える、請求項１に記載の方法。
【請求項６】
前記フレームにおける複数のサブフレームの第１の部分は、ダウンリンク使用のために半静的に構成され、前記フレームにおける前記複数のサブフレームの残存部分は、前記許可に少なくとも部分的に基づいてアップリンク使用またはダウンリンク使用のために動的に構成される、
または、前記許可は、第１のアップリンクサブフレームに関するアップリンク許可を備え、前記ＣＣＡは、前記第１のアップリンクサブフレームの開始過ぎまで成功せず、前記方法は、
前記アップリンク許可が失効するのを可能にすること
をさらに備える、
または前記許可は、アップリンク送信のためのサブフレームを示すアップリンク許可を備え、
前記成功したＣＣＡは、前記ＣＣＡに後続する、前記許可によって示された前記サブフレームの前のサブフレームがダウンリンクサブフレームであることを示す、請求項５に記載の方法。
【請求項７】
前記許可は、第１のアップリンクサブフレームに関するアップリンク許可を備え、前記ＣＣＡは、前記第１のアップリンクサブフレームの開始過ぎまで成功せず、前記方法は、
前記アップリンク許可を第２のアップリンクサブフレームに関連付けること
をさらに備える、請求項５に記載の方法。
【請求項８】
ワイヤレス通信のための方法であって、
免許不要無線周波数スペクトル帯域に対してクリアチャネルアセスメント（ＣＣＡ）を行うことと、
前記ＣＣＡに後続する期間に関して、前記免許不要無線周波数スペクトル帯域を通じて時分割複信（ＴＤＤ）構成の指示を送信することと、ここにおいて、前記ＴＤＤ構成の前記指示が、前記ＣＣＡに後続する連続数のダウンリンクサブフレームの指示、連続数のアップリンクサブフレームの指示、またはユーザ機器（ＵＥ）に対する許可のうちの少なくとも１つを備える、
前記ＣＣＡが成功したときに前記ＴＤＤ構成に従って前記免許不要無線周波数スペクトル帯域を通じてダウンリンクデータを送信することと、
ＵＥからプリアンブルを受信することと、前記プリアンブルが、前記ＴＤＤ構成に従ったアップリンクサブフレームの開始を示す、
を備える方法。
【請求項９】
前記ＴＤＤ構成を複数の所定の半静的ＴＤＤ構成から選択すること
をさらに備え、
前記ＴＤＤ構成の前記指示を送信することは、前記選択されたＴＤＤ構成に関連付けられるインデックスを送信することを備える、
または、前記ＴＤＤ構成の前記指示は、前記ＣＣＡに関連付けられるフレームの第１のダウンリンクサブフレームにおいて前記免許不要無線周波数スペクトル帯域を通じて送信される、
または、前記方法は、前記ＣＣＡに関連付けられるフレーム中に第１のＴＤＤ構成から第２のＴＤＤ構成に遷移すること
をさらに備え、
前記ＴＤＤ構成の前記指示は、前記第１のＴＤＤ構成と前記第２のＴＤＤ構成の両方を示す、
または、前記方法は、前記ＵＥに対する前記許可に少なくとも部分的に基づいて、前記ＣＣＡに後続する期間に関して、前記免許不要無線周波数スペクトル帯域を通じた通信のためのいくつかのアップリンクサブフレームのタイミングを動的に決定すること
をさらに備え、
前記ダウンリンクデータを送信することは、前記ＣＣＡが成功したときに前記いくつかのアップリンクサブフレームの前記タイミングに従って前記免許不要無線周波数スペクトル帯域を通じてダウンリンクデータを送信することを備える、請求項８に記載の方法。
【請求項１０】
前記免許不要無線周波数スペクトル帯域上で動作するように構成された少なくとも１つのｅｖｏｌｖｅｄ  Ｎｏｄｅ  Ｂ（ｅＮＢ）の送信タイミングを、前記免許不要無線周波数スペクトル帯域上で動作するように構成された少なくとも１つのユーザ機器（ＵＥ）のタイミングと周期的に同期させること
をさらに備える、請求項８に記載の方法。
【請求項１１】
前記同期させることは、直交周波数分割多重（ＯＦＤＭ）シンボル境界、スロット境界、またはサブフレーム境界のうちの１つまたは複数において生じる、請求項１０に記載の方法。
【請求項１２】
前記方法は、ＵＥに対する前記許可に少なくとも部分的に基づいて、前記ＣＣＡに後続する期間に関して、前記免許不要無線周波数スペクトル帯域を通じた通信のためのいくつかのアップリンクサブフレームのタイミングを動的に決定することをさらに備え、ここにおいて、前記ダウンリンクデータを送信することは、前記ＣＣＡが成功したときに前記いくつかのアップリンクサブフレームの前記タイミングに従って、前記免許不要無線周波数スペクトル帯域を通じてダウンリンクデータを送信することを備え、前記ＣＣＡに後続する前記期間における複数のサブフレームの第１の部分は、ダウンリンク使用のために半静的に構成され、前記ＣＣＡに後続する前記期間における前記複数のサブフレームの残存部分は、前記許可に少なくとも部分的に基づいてアップリンク使用またはダウンリンク使用のために動的に構成される、請求項８に記載の方法。
【請求項１３】
前記許可は、アップリンク送信のためのサブフレームを示すアップリンク許可を備え、
前記成功したＣＣＡは、前記ＣＣＡに後続する、前記許可によって示された前記サブフレームの前のサブフレームがダウンリンクサブフレームであることを示す、請求項８に記載の方法。
【請求項１４】
ワイヤレス通信のための装置であって、
免許不要無線周波数スペクトル帯域を通じて時分割複信（ＴＤＤ）構成の指示を受信するための手段と、ここにおいて、前記ＴＤＤ構成の前記指示が、連続数のダウンリンクサブフレームの指示、連続数のアップリンクサブフレームの指示、または免許不要無線周波数スペクトル帯域に関連付けられる許可のうちの少なくとも１つを備える、
前記ＴＤＤ構成に従ってアップリンク期間の初めに前記免許不要無線周波数スペクトル帯域に対してクリアチャネルアセスメント（ＣＣＡ）を行うための手段と、
前記ＣＣＡが成功したときに前記免許不要無線周波数スペクトル帯域を通じてプリアンブルを送信するための手段と、前記プリアンブルが、前記ＴＤＤ構成に従ったアップリンクサブフレームの開始を示す、
前記ＣＣＡが成功したときに前記ＴＤＤ構成に従って前記免許不要無線周波数スペクトル帯域を通じて前記ＵＥからアップリンクデータを送信するための手段と
を備える装置。
【請求項１５】
命令を備えるコンピュータプログラムであって、前記命令は、請求項１から１０のうちのいずれかに従う方法を行うためにコンピュータによって実行可能である、コンピュータプログラム。
【手続補正２】
【補正対象書類名】明細書
【補正対象項目名】０３４３
【補正方法】変更
【補正の内容】
【０３４３】
[0367]  本開示の前の説明は、当業者が本開示を作成または使用することが可能になるように提供される。本開示への様々な修正が当業者には容易に明らかであり、本明細書において定義された一般原理は、本開示の趣旨または範囲から逸脱することなく、他の変形形態に適用され得る。本開示全体にわたって、「例」または「例示的」という用語は、例または事例を示すものであり、言及された例に対する選好を暗示せず、または要求しない。従って、本開示は、本明細書で説明された例および設計に限定されるべきでなく、本明細書で開示された原理および新規の特徴に合致する最も広い範囲を与えられるべきである。
以下に本願の出願当初の特許請求の範囲に記載された発明を付記する。
［Ｃ１］
ワイヤレス通信のための方法であって、
ユーザ機器（ＵＥ）において、免許不要無線周波数スペクトル帯域を通じて時分割複信（ＴＤＤ）構成の指示を受信することと、ここにおいて、前記ＴＤＤ構成の前記指示が、連続数のダウンリンクサブフレームの指示、連続数のアップリンクサブフレームの指示、または免許不要無線周波数スペクトル帯域に関連付けられる許可のうちの少なくとも１つを備える、
前記ＴＤＤ構成に従ってアップリンク期間の初めに前記免許不要無線周波数スペクトル帯域に対してクリアチャネルアセスメント（ＣＣＡ）を行うことと、
前記ＣＣＡが成功したときに前記ＴＤＤ構成に従って前記免許不要無線周波数スペクトル帯域を通じて前記ＵＥからアップリンクデータを送信することと
を備える方法。
［Ｃ２］
前記ＴＤＤ構成は、複数の半静的ＴＤＤ構成から選択された半静的ＴＤＤ構成を備え、
前記ＴＤＤ構成の前記指示は、前記半静的ＴＤＤ構成に関連付けられるインデックスを備える、Ｃ１に記載の方法。
［Ｃ３］
前記ＴＤＤ構成の前記指示は、フレームの第１のダウンリンクサブフレームにおいて前記免許不要無線周波数スペクトル帯域を通じて受信される、Ｃ１に記載の方法。
［Ｃ４］
フレーム中に第１のＴＤＤ構成から第２のＴＤＤ構成に遷移すること
をさらに備え、
前記ＴＤＤ構成の前記指示は、前記フレームに関する前記第１のＴＤＤ構成と前記第２のＴＤＤ構成の両方を示す、Ｃ１に記載の方法。
［Ｃ５］
前記ＣＣＡが成功したときに前記免許不要無線周波数スペクトル帯域を通じてプリアンブルを送信すること
をさらに備え、前記プリアンブルが、前記ＴＤＤ構成に従ったアップリンクサブフレームの開始を示す、Ｃ１に記載の方法。
［Ｃ６］
前記ＵＥの送信タイミングを、前記免許不要無線周波数スペクトル帯域上で動作するように構成されたｅｖｏｌｖｅｄ  Ｎｏｄｅ  Ｂ（ｅＮＢ）のタイミングと周期的に同期させること
をさらに備える、Ｃ１に記載の方法。
［Ｃ７］
前記ＵＥは、第１のＵＥを備え、
前記ＣＣＡは拡張ＣＣＡ（ＥＣＣＡ）を備え、前記方法は、
前記第１のＵＥのための第１の擬似乱数生成器と第２のＵＥのための第２の擬似乱数生成器とを、前記アップリンク期間の前記初めに、前記第１のＵＥによって行われる前記ＥＣＣＡが前記第２のＵＥによって行われるＥＣＣＡと同期されるように、整合させることをさらに備える、Ｃ１に記載の方法。
［Ｃ８］
前記許可に少なくとも部分的に基づいて、前記免許不要無線周波数スペクトル帯域を通じた通信のためのフレームにおけるいくつかのアップリンクサブフレームのタイミングを動的に決定すること
をさらに備え、
前記ＣＣＡを行うことは、前記いくつかのアップリンクサブフレームを含むアップリンク期間の初めに前記免許不要無線周波数スペクトル帯域に対してＣＣＡを行うことを備え、
アップリンクデータを送信することは、前記ＣＣＡが成功したときに前記いくつかのアップリンクサブフレームのうちの少なくとも１つに従って前記免許不要無線周波数スペクトル帯域を通じて前記ＵＥからアップリンクデータを送信することを備える、Ｃ１に記載の方法。
［Ｃ９］
前記フレームにおける複数のサブフレームの第１の部分は、ダウンリンク使用のために半静的に構成され、前記フレームにおける前記複数のサブフレームの残存部分は、前記許可に少なくとも部分的に基づいてアップリンク使用またはダウンリンク使用のために動的に構成される、Ｃ８に記載の方法。
［Ｃ１０］
前記許可は、第１のアップリンクサブフレームに関するアップリンク許可を備え、前記ＣＣＡは、前記第１のアップリンクサブフレームの開始過ぎまで成功せず、前記方法は、
前記アップリンク許可を第２のアップリンクサブフレームに関連付けること
をさらに備える、Ｃ８に記載の方法。
［Ｃ１１］
前記許可は、第１のアップリンクサブフレームに関するアップリンク許可を備え、前記ＣＣＡは、前記第１のアップリンクサブフレームの開始過ぎまで成功せず、前記方法は、
前記アップリンク許可が失効するのを可能にすること
をさらに備える、Ｃ８に記載の方法。
［Ｃ１２］
前記許可は、アップリンク送信のためのサブフレームを示すアップリンク許可を備え、
前記成功したＣＣＡは、前記ＣＣＡに後続する、前記許可によって示された前記サブフレームの前のサブフレームがダウンリンクサブフレームであることを示す、Ｃ８に記載の方法。
［Ｃ１３］
ワイヤレス通信のための方法であって、
免許不要無線周波数スペクトル帯域に対してクリアチャネルアセスメント（ＣＣＡ）を行うことと、
前記ＣＣＡに後続する期間に関して、前記免許不要無線周波数スペクトル帯域を通じて時分割複信（ＴＤＤ）構成の指示を送信することと、ここにおいて、前記ＴＤＤ構成の前記指示が、前記ＣＣＡに後続する連続数のダウンリンクサブフレームの指示、連続数のアップリンクサブフレームの指示、またはユーザ機器（ＵＥ）に対する許可のうちの少なくとも１つを備える、
前記ＣＣＡが成功したときに前記ＴＤＤ構成に従って前記免許不要無線周波数スペクトル帯域を通じてダウンリンクデータを送信することと
を備える方法。
［Ｃ１４］
前記ＴＤＤ構成を複数の所定の半静的ＴＤＤ構成から選択すること
をさらに備え、
前記ＴＤＤ構成の前記指示を送信することは、前記選択されたＴＤＤ構成に関連付けられるインデックスを送信することを備える、Ｃ１３に記載の方法。
［Ｃ１５］
前記ＴＤＤ構成の前記指示は、前記ＣＣＡに関連付けられるフレームの第１のダウンリンクサブフレームにおいて前記免許不要無線周波数スペクトル帯域を通じて送信される、Ｃ１３に記載の方法。
［Ｃ１６］
前記ＣＣＡに関連付けられるフレーム中に第１のＴＤＤ構成から第２のＴＤＤ構成に遷移すること
をさらに備え、
前記ＴＤＤ構成の前記指示は、前記第１のＴＤＤ構成と前記第２のＴＤＤ構成の両方を示す、Ｃ１３に記載の方法。
［Ｃ１７］
ＵＥからプリアンブルを受信すること
をさらに備え、前記プリアンブルが、前記ＴＤＤ構成に従ったアップリンクサブフレームの開始を示す、Ｃ１３に記載の方法。
［Ｃ１８］
前記免許不要無線周波数スペクトル帯域上で動作するように構成された少なくとも１つのｅｖｏｌｖｅｄ  Ｎｏｄｅ  Ｂ（ｅＮＢ）の送信タイミングを、前記免許不要無線周波数スペクトル帯域上で動作するように構成された少なくとも１つのユーザ機器（ＵＥ）のタイミングと周期的に同期させること
をさらに備える、Ｃ１３に記載の方法。
［Ｃ１９］
前記同期させることは、直交周波数分割多重（ＯＦＤＭ）シンボル境界、スロット境界、またはサブフレーム境界のうちの１つまたは複数において生じる、Ｃ１８に記載の方法。
［Ｃ２０］
前記ＵＥに対する前記許可に少なくとも部分的に基づいて、前記ＣＣＡに後続する期間に関して、前記免許不要無線周波数スペクトル帯域を通じた通信のためのいくつかのアップリンクサブフレームのタイミングを動的に決定すること
をさらに備え、
前記ダウンリンクデータを送信することは、前記ＣＣＡが成功したときに前記いくつかのアップリンクサブフレームの前記タイミングに従って前記免許不要無線周波数スペクトル帯域を通じてダウンリンクデータを送信することを備える、Ｃ１３に記載の方法。
［Ｃ２１］
前記ＣＣＡに後続する前記期間における複数のサブフレームの第１の部分は、ダウンリンク使用のために半静的に構成され、前記ＣＣＡに後続する前記期間における前記複数のサブフレームの残存部分は、前記許可に少なくとも部分的に基づいてアップリンク使用またはダウンリンク使用のために動的に構成される、Ｃ２０に記載の方法。
［Ｃ２２］
前記許可は、アップリンク送信のためのサブフレームを示すアップリンク許可を備え、
前記成功したＣＣＡは、前記ＣＣＡに後続する、前記許可によって示された前記サブフレームの前のサブフレームがダウンリンクサブフレームであることを示す、Ｃ１３に記載の方法。
［Ｃ２３］
ワイヤレス通信のための方法であって、
クリアチャネルアセスメント（ＣＣＡ）に後続する期間に関して第１の基地局において、第２の基地局から免許不要無線周波数スペクトル帯域を通じて時分割複信（ＴＤＤ）構成の指示を受信することと、ここにおいて、前記ＴＤＤ構成の前記指示が、連続数のダウンリンクサブフレームの指示、連続数のアップリンクサブフレームの指示、または免許不要無線周波数スペクトル帯域に関連付けられる許可のうちの少なくとも１つを備える、
前記アップリンクサブフレームの送信中に前記免許不要無線周波数スペクトル帯域にアクセスするのを控えることと
を備える方法。
［Ｃ２４］
前記許可を復号することと、
前記許可に少なくとも部分的に基づいて、前記免許不要無線周波数スペクトル帯域を通じた通信のためのフレームにおけるいくつかのアップリンクサブフレームのタイミングを動的に決定することと
をさらに備える、Ｃ２３に記載の方法。
［Ｃ２５］
アクセスするのを控えることは、
前記ＴＤＤ構成に少なくとも部分的に基づいてＣＣＡを行うのを控えること
を備える、Ｃ２３に記載の方法。
［Ｃ２６］
前記許可は、少なくともアップリンク許可、ダウンリンク許可、または両方を備える、Ｃ２３に記載の方法。
［Ｃ２７］
ワイヤレス通信のための装置であって、
免許不要無線周波数スペクトル帯域を通じて時分割複信（ＴＤＤ）構成の指示を受信するための手段と、ここにおいて、前記ＴＤＤ構成の前記指示が、連続数のダウンリンクサブフレームの指示、連続数のアップリンクサブフレームの指示、または免許不要無線周波数スペクトル帯域に関連付けられる許可のうちの少なくとも１つを備える、
前記ＴＤＤ構成に従ってアップリンク期間の初めに前記免許不要無線周波数スペクトル帯域に対してクリアチャネルアセスメント（ＣＣＡ）を行うための手段と、
前記ＣＣＡが成功したときに前記ＴＤＤ構成に従って前記免許不要無線周波数スペクトル帯域を通じて前記ＵＥからアップリンクデータを送信するための手段と
を備える装置。
［Ｃ２８］
前記ＴＤＤ構成は、複数の半静的ＴＤＤ構成から選択された半静的ＴＤＤ構成を備え、
前記ＴＤＤ構成の前記指示は、前記半静的ＴＤＤ構成に関連付けられるインデックスを備える、Ｃ２７に記載の装置。
［Ｃ２９］
フレーム中に第１のＴＤＤ構成から第２のＴＤＤ構成に遷移するための手段
をさらに備え、
前記ＴＤＤ構成の前記指示は、前記フレームに関する前記第１のＴＤＤ構成と前記第２のＴＤＤ構成の両方を示す、Ｃ２７に記載の装置。
［Ｃ３０］
前記ＣＣＡが成功したときに前記免許不要無線周波数スペクトル帯域を通じてプリアンブルを送信するための手段
をさらに備え、前記プリアンブルが、前記ＴＤＤ構成に従ったアップリンクサブフレームの開始を示す、Ｃ２７に記載の装置。